(57)【要約】【課題】帯の装着がし易く、端正に装着することができ、かつ種々の形態の羽根部を簡便に形成することができる作り帯を提供する。【解決手段】表裏面の色柄（２）が相違する半幅の袋帯（３）を有し、その袋帯を垂先部（４）と手先部（５）に二つ折りし、手先部内面に帯板（７）を仮縫着する。上記垂先部（４）と手先部（５）で羽根部（９）を形成し、この羽根部を仮縫着する部分と仮縫着しない部分に設け、その仮縫着しない羽根部（２６）を手先部（５）で形成された覆部（１２）に着脱可能に挿入する。【選択図】図１
0003129044.tif 000002
【実用新案登録請求の範囲】
【請求項１】
表裏の色柄を相違させた半幅の袋帯を垂先部と手先部に二つ折りし、この二つ折り部の手先部側内面に、胴回りにほぼ一巻するほどの長さでその両端部に一対の面ファスナー等の着脱具を有する腰のある帯板を仮縫着し、上記垂先部及び手先部に形成した羽根部は仮縫着する部分と仮縫着しない部分を有し、その仮縫着しない羽根部の保定部を被う覆部を仮縫着し、この覆部に仮縫着しない羽根部を着脱可能に挿入するようにしたことを特徴とする作り帯。
【請求項２】
垂先部で太鼓状の羽根部を形成すると共に、手先部で左右下方に張り出す斜状の羽根部と覆部に挿入する文庫結び状の羽根部を形成した請求項１に記載の作り帯。
【請求項３】
覆部に帯枕用の紐及び帯揚げを挿通した請求項１または２に記載の作り帯。
【請求項４】
羽根部の内側に帯枕または帯枕状の代用品を挿入した請求項１〜３のいずれかに記載の作り帯。
【考案の詳細な説明】
【技術分野】
【０００１】
本考案は、表裏の色柄が相違する半幅の袋帯を用いこれを折り込んで羽根部を形成し、この羽根部を一部仮縫着しない部分を残して仮縫着した作り帯であって、着付けに不慣れな者でも簡便に帯を結ぶことができる上に仮縫着部分を解くことによって元の帯の状態に復元することができると共に、その仮縫着しない羽根部を部分的あるいは全体的に反転させたりして種々の形態の羽根部を簡便に形成することができる作り帯に関する。
【背景技術】
【０００２】
本出願人は、帯の一方側端部に結び部を設け、この結び部を帯に仮縫着して作り帯を形成し、これによって簡便に結ぶことができるようにすると共に仮縫着部分を解けば元の帯の状態となる作り帯について既に出願し、実用新案登録第３０５７８２９号として登録されている。
【０００３】
この考案の作り帯は、帯に予め結び部を仮縫着するものであって、仮縫着前に予め種々の形態のものに変えておくことができるが、一旦形態を決めて仮縫着した後は、この結び部の形態を変えることができないものである。
【特許文献１】登録実用新案第３０５７８２９号公報
【考案の開示】
【考案が解決しようとする課題】
【０００４】
本考案は、上記従来の考案を改良するものであって、帯の装着がし易く、装着が端正であり、かつ羽根部を種々の形態に容易に変更して使用することができる作り帯を提供しようとするものである。
【課題を解決するための手段】
【０００５】
本考案は、半幅の袋帯を垂先部と手先部に二つ折りし、その手先部内面に帯板を仮縫着すると共に垂先部と手先部で形成した羽根部を部分的に仮縫着し、この羽根部で形成した保定部を被う覆部を仮縫着し、この覆部に仮縫着しない羽根部を着脱可能に挿入し得るようにして種々の形態を有する羽根部を簡便に変更して使用することができるようにしたものである。
【０００６】
また、垂先部で太鼓状の羽根部を形成すると共に、他方の手先部で左右下方に張り出す斜状の羽根部及び覆部に着脱可能に挿入し得る文庫結び状の羽根部を形成するようにしたものである。
【０００７】
更に、覆部に帯枕用の紐及び帯揚げを挿通し、通常の帯を装着する場合のように結ぶことができるようにしたものである。
【０００８】
また、羽根部の内側に帯枕または帯枕の代用品を挿入し羽根部にふくらみをもたせるようにしたものである。
【考案の効果】
【０００９】
本考案は、袋帯の垂先部と手先部で羽根部を形成しこの羽根部を部分的に仮縫着し、仮縫着しない羽根部を覆部に着脱可能に挿入して袋帯の表裏の色柄を一部あるいは全体的に相違させることによって、色・柄模様、形態等の態様が相違する種々のバリエーションの羽根部を簡便に形成することができる。
【００１０】
また、袋帯の手先部内面に胴回りにほぼ一回り巻き得るほどの帯板を設けたので、帯をしっかりと、かつ端正に装着することができる。
【００１１】
更に、帯板や羽根部は袋帯に仮縫着されているので、この仮縫着を解くことにより元の帯の状態に戻すことができ、通常の帯として使用することができる。
【００１２】
また、垂先部で太鼓状の羽根部を形成すると共に、他方の手先部で左右下方に張り出す斜状の羽根部及び文庫結び状の羽根部を形成することができ、全体として類例のない変り羽根部を有する帯を得ることができる。
【００１３】
更に、羽根部の結び目を被う覆部に別途、帯枕用の紐及び帯揚げを挿入しているので、帯本来の態様で帯を結ぶことができ、見映えも良い。
【００１４】
また、羽根部の内側に帯枕または帯枕代用品を設けているので、帯枕を装着したように羽根部をふっくらとさせることができる。
【考案を実施するための最良の形態】
【００１５】
本考案の作り帯（１）は、図１〜図４に示すように表裏面の色柄（２）が相違する半幅の袋帯（３）を用い、これを垂先部（４）と手先部（５）を有するように二つ折り（６）し、その手先部（５）の内側に胴回りに一巻できるほどの長さの腰のある帯板（７）を仮縫着（８）し、その垂先部（４）及び手先部（５）を適宜形状に折り重ねる等して種々形状の羽根部（９）を形成し、これを袋帯に仮縫着する部分と仮縫着しない部分を形成し、その仮縫着しない羽根部（９）の保定部（１１）を手先部で形成した覆部（１２）で被い、その覆部に仮縫着されていない羽根部を着脱可能に挿入して保持している。
【００１６】
なお、上記覆部（１２）には、帯枕用の紐（１３）と帯揚げ（１４）が挿通される。
【００１７】
上記袋帯（３）は、絹、木綿、ウール、麻、合成繊維、再生繊維その他の適宜の布地で作ることができ、その表裏面に図柄、絵柄、色分け、ぼかし、織地、刺しゅう等の各種模様を施した色柄（実施例では表面に菊唐草様の模様が、裏面には四ツ目様の幾何図形が施されている）が設けられる。なお、上記袋帯（３）には、適宜芯地を挿入しておくことができる。
【００１８】
上記帯板（３）の両端部には、一対の面ファスナー（１０）やホックボタン、カギホック等の着脱具が設けられる。
なお、この帯板（３）は、実施例ではナイロン材でメッシュ状に形成されているが、その他ビニロン、ポリエチレン、ポリプロピレン、ポリアクリル、ポリエステル等のプラスチック材でメッシュ状や板状に作ることができ、又その際帯板の周縁を適宜テープ材で被覆することができる。
【００１９】
羽根部（９）を作成する場合について、その一手順を図５〜図１３を参照して説明する。  先ず図５に示すように、垂先部（４）と手先部（５）に二つ折りした袋帯（３）の垂先部（４）を途中でほぼ直角に反転させて曲げ、その一部を折り返して折り返し部（３０）を形成しこの部分を仮逢着（２９）しておく。この直角方向に延びる垂先部分は、後記の太鼓状の羽根部（１５）を形成するものであり、また上記折り返し部（３０）は太鼓の垂部（３１）を形成するものである。
【００２０】
この状態で、垂先部を直角方向に折り重ねた位置に帯枕状に形成した代用品（１６）を載置する。
この代用品は、適当な布地あるいはハンドタオルやおしぼりタオル等を丸めたり重ねたりして形成することができ、その際に代用品を帯に仮縫着しておいてもよい。なお、この代用品に代えて通常の帯枕を用いることができる。
【００２１】
次に、図６及び図８に示すように、他方の手先部（５）を左右斜め下方に張り出すように折り重ねて斜状に羽根部（１７）を形成し、これを順次、帯に仮縫着（１８）（１９）する。
【００２２】
続いて、図９に示すように、上記太鼓状の羽根部（１５）に相当する垂先部を折り重ね、その部分を仮縫着（２０）する。その際、太鼓の垂部（３１）が表れるように折り重ねる。なお、この太鼓状の羽根部（１５）の先端部には仮縫着（２１）された折り畳み部（２２）が形成されている。
【００２３】
次に、図１０に示すように、上記太鼓状の羽根部の折り畳み部（２１）の先端を被うようにその上に他方の手先部の一部を折り重ねてこの部分を仮縫着（２３）する。
【００２４】
上記手先部の先端側には、図１１に示すように、内側に折り重ねてこれを仮縫着（２４）して形成した覆部（１２）が設けられている。
【００２５】
この覆部（１２）を表側から裏側に回してループ状に形成し、その取付部を仮縫着（２５）する（図１２）。
【００２６】
次に、図１３に示すように、手先部（５）の先端部分を折り畳み、そのほぼ中央の保定部（１１）が覆部（１２）に位置するように覆部に挿入して文庫状の羽根部（２６）を形成する。
【００２７】
その際、この覆部（１２）に、帯枕用の紐（１３）と帯揚げ（１４）を挿通する。
【００２８】
このようにして作られた作り帯（１）は、図１４〜図１９に示すような態様で着物（２７）上に装着される。
先ず、図１４に示すように、作り帯（１）の帯端を手前にして帯の内側に形成された帯板（７）を胴回りに巻き、これを面ファスナー（１０）でしっかり保定する。
【００２９】
図１５に示す状態において、羽根部を整い、この羽根部（９）を後に回す。回した後、帯の間に前板を挿入し、上記帯枕用の紐（１３）及び帯揚げを結びその紐端を整え、帯留（２６）を装着する（図１６）。
【００３０】
上記文庫状の羽根部（２６）は、図１７〜図１９に示すように、その羽根部の端部を長目にして片流し文庫状（図１７）や羽根部の一部または全体を反転して裏面の色柄（図１８、図１９）としたり、あるいは蝶結び状、蝶々結び状、ふくら雀状、一文字状、貝の口状その他の形状に形成することができる。
【００３１】
なお、実施例では、帯長の約３分の１を垂先部（４）に、約３分の２を手先部（５）としているが、その他の長さのものとすることができ、その垂先部（４）及び手先部（５）で上記のような適宜の形状の羽根部（９）を形成することができる。なお、二つ折りした袋帯（３）は、その一方を垂先部とし、他方を手先部としたが、いずれの側を垂先部又は手先部としてもよく、必ずしも通常の帯の垂先及び手先に相当するように形成するものではない。
【図面の簡単な説明】
【００３２】
【図１】本考案の実施例を示す斜面図である。
【図２】作り帯を結んだ状態を示す正面図である。
【図３】袋帯の表側を示す正面図である。
【図４】袋帯の裏側を示す背面図である。
【図５】袋帯の羽根部を形成する場合の初期の手順を示す一部省略した正面図である。
【図６】左側下方に張り出す斜状の羽根部を形成する状態を示す一部正面図である。
【図７】図６において、右側下方に張り出す斜状の羽根部を形成する状態を示す一部正面図である。
【図８】左右下方に張り出した斜状の羽根部を形成した状態を示す一部正面図である。
【図９】斜状の羽根部の上に太鼓状の羽根部を形成した状態を示す一部正面図である。
【図１０】図９において、太鼓状の羽根部を仮縫着した状態を示す一部正面図である。
【図１１】図１１における背面を示す一部背面図である。
【図１２】覆部に文庫状の羽根部を挿入する状態を示す一部背面図である。
【図１３】覆部に帯枕用の紐及び帯揚げを挿通した状態を示す一部正面図である。
【図１４】作り帯を付ける状態を示す斜面図である。
【図１５】作り帯を手前で結ぶような状態を示す斜面図である。
【図１６】帯留を付けた状態を示す斜面図である。
【図１７】羽根部を片流し文庫状に形成した場合を示す斜面図である。
【図１８】文庫状の羽根部の色柄を一部変えた状態を示す斜面図である。
【図１９】図１８における他の例を示す斜面図である。
【符号の説明】
【００３３】
１  作り帯    ２  色柄    ３  袋帯    ４  垂先部    ５  手先部    ７  帯板
８、１８〜２１、２３〜２４  仮縫着    ９  羽根部    １２  覆部  
１３  帯枕用の紐    １４  帯揚げ    １５  太鼓状の羽根部    １６  帯枕の代用品  １７  斜状の羽根部    ２６  文庫状の羽根部
【図１】
0003129044.tif 000003
【図２】
0003129044.tif 000004
【図３】
0003129044.tif 000005
【図４】
0003129044.tif 000006
【図５】
0003129044.tif 000007
【図６】
0003129044.tif 000008
【図７】
0003129044.tif 000009
【図８】
0003129044.tif 000010
【図９】
0003129044.tif 000011
【図１０】
0003129044.tif 000012
【図１１】
0003129044.tif 000013
【図１２】
0003129044.tif 000014
【図１３】
0003129044.tif 000015
【図１４】
0003129044.tif 000016
【図１５】
0003129044.tif 000017
【図１６】
0003129044.tif 000018
【図１７】
0003129044.tif 000019
【図１８】
0003129044.tif 000020
【図１９】
0003129044.tif 000021